(57)【特許請求の範囲】
【請求項１】
吐水ヘッドに接続した可撓性のホースを収納部に収納し、該ホースを該吐水ヘッドとともに該収納部から引出可能となしたホース収納水栓において、
取付基体から起立する状態に取り付けた水栓本体の内部に、前記ホースの少なくとも水路形成管を引出可能に巻き取る巻取ドラムを収納し、該巻取ドラムは、該水栓本体内部の弁部から該ホースへ水を流出させる流出通路の形成部分とは別体に該流出通路の形成部分の外周に回転可能に設けてあり、該巻取ドラムの回転により該ホースを引出可能となしてあることを特徴とするホース収納水栓。
【請求項２】
請求項１において、前記巻取ドラムが前記水栓本体内に配設したばねにより巻取方向に付勢してあることを特徴とするホース収納水栓。
【請求項３】
請求項１，２の何れかにおいて、前記ホースを水路形成管としての内管と該内管よりも長さの短い外側の外管との二重管構造となして、それら内管及び外管の各一端側を前記吐水ヘッドに接続固定するとともに、該内管の他端側を前記水栓本体に接続固定、該外管の他端側を該水栓本体に対し非固定状態となして該外管全体を前記収納部に対し管軸方向に移動可能となし、前記吐水ヘッドの引出時に該外管を前記水栓本体に対して非固定状態の自由端部の移動を伴って前記内管とともに前記収納部から引出可能となしてあることを特徴とするホース収納水栓。
【請求項４】
請求項３において、前記外管の前記自由端部には該外管の引出量を規定するストッパが設けてあることを特徴とするホース収納水栓。
【請求項５】
請求項３，４の何れかにおいて、前記外管は、互いに重ね合わされた外巻部と内巻部との間に、それらの係合用の遊びとしての隙間が形成されており、その隙間に基づいて該外管全体が管軸方向に弾性変形可能となしてあって、該弾性変形によって該外管を管軸方向に伸縮するものとなしてあることを特徴とするホース収納水栓。
【請求項６】
請求項１〜５の何れかにおいて、前記吐水ヘッドとともに吐水管を構成する筒状の本体管が前記収納部の全体又は一部を成しており、前記外管の全体又は一部が該本体管内に移動可能に収納してあることを特徴とするホース収納水栓。
【発明の詳細な説明】
【０００１】
【発明の属する技術分野】
この発明は吐水ヘッドに接続された可撓性のホースが、吐水ヘッドの引出時にその吐水ヘッドとともに収納部から引出可能な形態のホース収納水栓に関する。
【０００２】
【従来の技術】
この種形式のホース収納水栓は、キッチンの流し台の水栓或いは洗面化粧台に備えられる洗髪用の水栓等として従来広く用いられている。
【０００３】
図８はその一例を示している。図において２００はカウンターなどから起立する状態で取り付けられた水栓本体で、２０２はカウンター下側に配管されて水栓本体２００に対し水，湯をそれぞれ供給するサプライ管である。
【０００４】
水栓本体２００の上部にはシングルレバー式の操作部２０４が設けられており、更に水栓本体２００の側面から吐水管２０６が斜め上向きに延び出している。
吐水管２０６は、水栓本体２００と一体に構成された軸方向に位置固定の本体管２０６Ａと、先端の吐水ヘッド２０６Ｂとを有しており、その吐水ヘッド２０６Ｂが、これに接続された可撓性のホース２０８とともに引出可能とされている。
【０００５】
水栓本体２００からは、カウンター下側において流出管２１０が下向きに延び出しており、その流出管２１０に、上記可撓性のホース２０８がカウンターの下側において、通例はキャビネット内部において垂れ下り状態で接続されている。
ここでホース２０８は、図に示しているように吐水ヘッド２０６Ｂとは反対側の端部が流出管２１０に対し、ホース引出方向即ちホースの長手方向に位置固定状態で接続されている。
【０００６】
２１２は位置固定に設けられたホースガイドであり、２１４はホース２０８の引出量を規定するストッパである。ストッパ２１４はホース２０８に固定的に取り付けてあり、ストッパ２１４がホースガイド２１２に当接することによって、ホース２０８の引出量が規定される。
【０００７】
【発明が解決しようとする課題】
しかしながらこの種形態のホース収納水栓にあっては、カウンター下に垂れ下がったホース２０８がキャビネット内で大きなスペースを占め、これによりカウンター下のキャビネット内の収納空間が狭められてしまうといった問題があった。
【０００８】
またその他にキャビネット内に、ホース２０８を伝って流れた水を受けるとともに吐止水時等のホース２０８の動き（踊り）を防止すべく垂れ下がったホース２０８の下端部を納めるための収納ボックスが必要となり、その収納ボックスのためのコストがかかるとともに、収納ボックスによって収納空間が更に狭められるといった問題の外、収納ボックスに溜まった水を定期的に捨てる等のメンテナンス作業が必要になるといった問題があった。
【０００９】
【課題を解決するための手段】
本発明のホース収納水栓はこのような課題を解決するために案出されたものである。
而して請求項１のホース収納水栓は、吐水ヘッドに接続した可撓性のホースを収納部に収納し、該ホースを該吐水ヘッドとともに該収納部から引出可能となしたホース収納水栓において、取付基体から起立する状態に取り付けた水栓本体の内部に、前記ホースの少なくとも水路形成管を引出可能に巻き取る巻取ドラムを収納し、該巻取ドラムは、該水栓本体内部の弁部から該ホースへ水を流出させる流出通路の形成部分とは別体に該流出通路の形成部分の外周に回転可能に設けてあり、該巻取ドラムの回転により該ホースを引出可能となしてあることを特徴とする。
【００１０】
請求項２のものは、請求項１において、前記巻取ドラムが前記水栓本体内に配設したばねにより巻取方向に付勢してあることを特徴とする。
【００１１】
請求項３のものは、請求項１，２の何れかにおいて、前記ホースを水路形成管としての内管と該内管よりも長さの短い外側の外管との二重管構造となして、それら内管及び外管の各一端側を前記吐水ヘッドに接続固定するとともに、該内管の他端側を前記水栓本体に接続固定、該外管の他端側を該水栓本体に対し非固定状態となして該外管全体を前記収納部に対し管軸方向に移動可能となし、前記吐水ヘッドの引出時に該外管を前記水栓本体に対して非固定状態の自由端部の移動を伴って前記内管とともに前記収納部から引出可能となしてあることを特徴とする。
【００１２】
請求項４のものは、請求項３において、前記外管の前記自由端部には該外管の引出量を規定するストッパが設けてあることを特徴とする。
【００１３】
請求項５のものは、請求項３，４の何れかにおいて、前記外管は、互いに重ね合わされた外巻部と内巻部との間に、それらの係合用の遊びとしての隙間が形成されており、その隙間に基づいて該外管全体が管軸方向に弾性変形可能となしてあって、該弾性変形によって該外管を管軸方向に伸縮するものとなしてあることを特徴とする。
【００１４】
請求項６のものは、請求項１〜５の何れかにおいて、前記吐水ヘッドとともに吐水管を構成する筒状の本体管が前記収納部の全体又は一部を成しており、前記外管の全体又は一部が該本体管内に移動可能に収納してあることを特徴とする。
【００１５】
【作用及び発明の効果】
上記のように請求項１のホース収納水栓は、吐水ヘッドとともに引き出されるホースの少なくとも水路形成管を引出可能に巻き取る巻取ドラムを水栓本体内部に収納し、その巻取ドラムに巻き取った水路形成管を、その巻取ドラムの回転により吐水ヘッドとともに引出可能となしたもので、このホース収納水栓にあっては、必要な引出長さを確保するために、その水路形成管をカウンター下のキャビネット内等に垂れ下げておく必要がなく、従ってまたキャビネット内に垂れ下がった状態の水路形成管を保護管（外管）にて被覆しておく必要もなくなる。
【００１６】
即ち本発明によれば、水栓本体及びこれから延び出して吐水ヘッドに接続されるホース全体をカウンター等取付基体の表側に設けておくことが可能となり、ホースをカウンター下のキャビネット内等に垂れ下げておくことによって従来生じていた様々な問題、即ちホースがキャビネット内に垂れ下がった状態となることによって、そのホースを伝って流れた水がキャビネット内に落下する問題、更にはこれを受けるための受け器を兼ねたホース収納ボックスをキャビネット内に設けておかなければならない問題、更にはそれらによってキャビネット内部の美観が損われたり、キャビネット内部の収納空間が狭められる問題、またはそのホース収納ボックス内に受けた水を定期的に捨てるなどのメンテナンス作業が必要となる問題等を解消することが可能となる。
【００１７】
尚、巻取ドラムを水栓本体の外部に別部品として設けておくといったことも考えられるが、この場合、巻取ドラムが水栓本体とは別部品として必要となるのみならず、水栓装置が大型化してしまう問題を生ずる。
しかるに本発明では巻取ドラムを水栓本体内部に収納してあるため、そのような問題を生じず、しかも水栓装置をコンパクトに且つ良好な外観状態で構成することができる。
【００１８】
本発明は、少なくとも水路形成管を巻取ドラムで巻き取るようになしているが、場合によってその保護管としての外管をも巻取ドラムに巻き取るようになすことも可能である。
ここで上記巻取ドラムは、水栓本体内部に配設したばねにより巻取方向に付勢しておくことができる（請求項２）。
このようにしておけば、吐水ヘッドとともに引き出したホースを元へ戻すとき、自動的にその巻取ドラムに水路形成管を巻き取ることができ、ホースの収納性が良好となる。
【００１９】
請求項３のものは、ホースを水路形成管としての内管とこれよりも長さの短い外側の外管との二重管構造となし、その内管の各端部を吐水ヘッドと水栓本体に接続固定する一方、外管については一端側のみを吐水ヘッドに接続固定し、他端側を自由端部として構成して、外管をその自由端部の移動を伴って収納部から引出可能となしたものである。
【００２０】
例えば従来のホース収納水栓のように、内管がカウンター下のキャビネット内に長く垂れ下がった状態となる場合、その内管の全体を保護管としての外管で被覆しておく必要が生ずる。
これに対して、例えば請求項１に従って内管を水栓本体内の巻取ドラムに巻き取るようになした場合、必ずしも内管の全体を保護管としての外管で被覆しておく必要はなく、吐水ヘッドの引出時において、これとともに外部に引き出された内管の部分を外管にて被覆しておくだけで十分な場合がある。
【００２１】
ここにおいて請求項３に従えば、外管の長さを短くすることができるとともに、吐水ヘッドとともに引き出された内管を外管で被覆した状態とでき、美観を良好に保持することができるとともに、ホースの引出し及び引込み時の操作及び収納性を良好となすことができる。
【００２２】
この場合において、上記外管の自由端部に外管の引出量を規定するストッパを設けておくことができる（請求項４）。
このようにすれば、吐水ヘッドの引出時に外管が過度に引き出されてしまって、内管が外部に露出するといったことを防止することができる。
【００２３】
請求項５のものは、ホースにおける外管を管軸方向に弾性変形可能となし、その弾性変形によって外管を管軸方向に伸縮するものとなしたもので、この場合においても外管の長さを短くすることができるとともに、吐水ヘッドとともに引き出された内管をその引出時において外管により被覆した状態とすることができ、美観を良好に保持することができるとともに、外管の必要長さ（収縮時の必要長さ）を短くすることができる。
【００２４】
特に本発明においては、外管を移動可能となすとともに併せて伸縮可能となしておくのが好都合である。
またこの請求項５によれば、吐水ヘッドを引き出した時点でホース自身が引込方向の力を発生させるため、吐水ヘッドを元に戻す際にホースを容易に引込収納できる利点が得られる。
【００２５】
請求項６のものは、吐水ヘッドとともに吐水管を構成する筒状の本体管にて収納部の全体又は一部を構成し、上記外管の全体又は一部をその本体管内に移動可能に収納するようになしたもので、このようにした場合、内管が筒状の本体管内を移動する際に、その外管によって内管を保護した状態で移動ガイドすることができる。
【００２６】
特に水栓本体から延び出した内管を直接吐水管の本体管内に挿通するとともに、外管の全体をその本体管内に収納するようになした場合、ホースを含む水栓全体をカウンター等取付基体の表側に配設することが可能となり、水栓の取付施工が容易となるとともに、カウンター下のキャビネット内へのホースの垂れ下りをなくして、キャビネット内部空間を物品の収納空間として広く確保できるようになる。
【００２７】
【実施例】
次に本発明の実施例を図に基づいて詳しく説明する。
図１において、１０は取付基体としてのカウンター１２（図２参照）から起立する状態に取り付けられた水栓本体で、上部にシングルレバー式の操作部１４が設けられている。
またその側面からは吐水管１６が斜め上向きに延び出している。
【００２８】
吐水管１６は、吐水口１８を有する先端側の吐水ヘッド１６Ａと基端側の本体管１６Ｂとから成っている。
ここで吐水ヘッド１６Ａは整流吐水，シャワー吐水の何れも可能であって、その前面には吐水を整流吐水からシャワー吐水に若しくはその逆に切り替えるための切替操作部１９が設けてある。
また本体管１６Ｂは水栓本体１０に一体的に構成されている。
【００２９】
図２に示しているように、水栓本体１０はカウンター１２の下面に位置してこれを下方から挟み付けるホルダ２０と、そのホルダ２０を締め付けるボルト２２によって、カウンター１２に着座状態に設置されている。
【００３０】
カウンター１２の下側にはまた、水栓本体１０に対して水，湯をそれぞれ供給するサプライ管２４が配管されており、それぞれの上端部が水栓本体１０に接続されている。
これらサプライ管２４を通じて水栓本体１０に供給された水と湯は、水栓本体１０内部の弁部２６により、即ち固定弁体２８と可動弁体３０とを有する弁部２６により混合され、水栓本体１０内部の流出通路３２へと流出する。
【００３１】
尚、弁部２６における可動弁体３０と上記操作部１４とは、係合アーム３４にて連結されており、操作部１４を回動操作することによって可動弁体３０が固定弁体２８の上面である摺動面に沿って移動するようになっている。
而してこの例の水栓では、操作部１４を上下方向に回動操作することで吐水と止水が制御され、また左右方向に回動操作することによって水と湯との混合比率が調整され、吐水口１８からの吐水の温度が調節される。
【００３２】
３６は流出通路３２からの混合水ないし水，湯（以下単に混合水とする）を吐水ヘッド１６Ａに導く可撓性のホースであって、一端側が吐水ヘッド１６Ａに接続固定され、吐水へッド１６Ａとともに本体管１６Ｂから引出可能とされている。
ここで可撓性のホース３６は樹脂，ゴム等のチューブから成る水路形成管としての内管３８と、その外側の保護管としての可撓性を有する外管４０とを有しており、管軸方向の一部が部分的に二重管構造をなしている。
【００３３】
内管３８は、吐水ヘッド１６Ａの引出しに必要な十分の長さを有しており、その一端側が吐水ヘッド１６Ａに接続固定され、また他端側が、図４に示しているように水栓本体１０内部に回転可能に収納された巻取ドラム４２の外周面に巻き取られている。
即ち吐水管１６内部に位置する以外の部分が巻取ドラム４２に巻き取られた状態で、水栓本体１０内部に収納されている。
【００３４】
ここで巻取ドラム４２は、水栓本体１０内部において垂直な軸心周りに回転可能に設けられており、且つばね（この例ではねじりコイルばね）４４によって巻取方向に付勢されている。
尚内管３８は、上記流出通路３２に連通する状態で巻取ドラム４２に巻き付けられている。
【００３５】
一方外管４０は金属管から成るものであって内管３８よりも長さが短く、その全体が本体管１６Ｂ内に収納されている。
この外管４０は、その一端側が内管３８とともに吐水ヘッド１６Ａに固定されており、他端側が水栓本体１０に対して非固定状態の自由端部とされている。
そしてその自由端部に大径のストッパ部４６が設けられている。
この自由端部は、本体管１６Ｂの端部部材としての円筒部材４８に当接することによってそれ以上の移動が阻止される。
【００３６】
外管４０は、図２の部分拡大図に示しているように外巻部４０Ａと内巻部４０Ｂとを有する所定断面形状の且つ幅Ｗの帯状の金属材を連続して螺旋状に巻回した形態のもので、管軸方向に弾性を有している。
この外管４０は、収納状態において図２の部分拡大図に示しているように、互いに重ね合わされた外巻部４０Ａと内巻部４０Ｂとの間に、それらの係合用の遊びとしての隙間Ｓが形成されており、その隙間Ｓに基づいて外管４０全体が管軸方向に弾性伸縮可能とされている。
因みに図２の部分拡大図は外管４０が収縮したときの状態を、また図３の部分拡大図は外管４０が伸張したときの状態をそれぞれ表している。
【００３７】
本例のホース収納水栓の場合、水栓本体１０，吐水管１６，可撓性のホース３６全体が、取付基体としてのカウンター１２の表側に配設されており、そしてホース３６における内管３８が吐水管１６と水栓本体１０内部に、また外管４０が吐水管１６内部にそれぞれ収納されている。
【００３８】
而して図３に示しているように吐水ヘッド１６Ａを引き出すと、これに伴って内管３８が水栓本体１０内部の巻取ドラム４２を回転させながら、本体管１６Ｂから引き出される。
またこのとき併せて、外管４０全体が本体管１６Ｂ内部を管軸方向に移動して、吐水ヘッド１６Ａ側の部分が本体管１６Ｂから外部に引き出される。
【００３９】
このとき、外管４０における自由端部が吐水ヘッド１６Ａの引出しに伴って本体管１６Ｂ内部を管軸方向、即ち図中左方向に移動し、そしてストッパ部４６が円筒部材４８に当接した時点で自由端部の移動が阻止される。
その後は外管４０の弾性伸びを伴って、吐水ヘッド１６Ａが内管３８とともに更に引き続いて本体管１６Ｂから引き出される。
【００４０】
このように本例のホース収納水栓にあっては、図８に示す形態の従来の水栓、即ちホース２０８がカウンター下のキャビネット内に大きく垂れ下がった状態の水栓と同様に、吐水ヘッド１６Ａを本体管１６Ｂから大きく引き出すことが可能であり、尚且つ内管３８の本体管１６Ｂから外に引き出された部分が外管４０の移動及び弾性伸びによって全体的に覆われ、内管３８の引き出された部分が外部に露出するといったことはない。
【００４１】
以上のような本例のホース収納水栓では、水栓本体１０及びこれから延び出して吐水ヘッド１６Ａに接続されたホース３６全体をカウンター１２の表側に設けてあるので、ホース３６をカウンター１２下のキャビネット内に垂らしておくことによって従来生じていた様々な問題、即ちホース３６がキャビネット内に垂れた状態となることによって、そのホース３６を伝って流れた水がキャビネット内に落下する問題、更にはこれを受けるための受け器を兼ねたホース収納ボックスをキャビネット内に設けておかなければならない問題、更にはそれらによってキャビネット内部の美観が損われたり、キャビネット内部の収納空間が狭められる問題、またはそのホース収納ボックス内に受けた水を定期的に捨てるなどのメンテナンス作業が必要となる問題を解消することができる。
【００４２】
また本例では巻取ドラム４２を水栓本体１０内部に収納してあるため、水栓本体１０とは別部品として巻取ドラムを設けたり、水栓装置が大型化するといった問題を生じず、水栓装置をコンパクトに且つ良好な外観状態に構成することができる。
【００４３】
また本例では巻取ドラム４２を水栓本体１０内部に配設したばね４４により巻取方向に付勢してあるので、吐水ヘッド１６Ａとともに引き出したホース３６を元へ戻すとき、自動的にその巻取ドラム４２に内管３８を巻き取ることができ、ホース３６の収納性が良好となる。
【００４４】
更に吐水ヘッド１６Ａとともに引き出された内管３８を外管４０で被覆した状態となるため、美観を良好に保持することができるとともに、ホース３６の引出し及び引込み時の操作及び収納性を良好となすことができる。
【００４５】
また外管４０の自由端部に外管４０の引出量を規定するストッパ部４６を設けてあるので、吐水ヘッド１６Ａの引出時に外管４０が過度に引き出されてしまって、内管３８が外部に露出するといったことを防止できる。
【００４６】
加えて本例によれば、吐水ヘッド１６Ａを引出した時点でホース３６自身が引込方向の力を発生させるため、吐水ヘッド１６Ａを元に戻す際にホース３６を容易に引込収納する利点が得られる。
【００４７】
図５は本発明の他の実施例として、カバー付きの水栓の例を示したものである。
同図において５０はそのカバーで、吐水管１６がこのカバー５０に対し、円筒形状の取付部材５２を介して取付固定されている。
【００４８】
カバー５０は、カウンター等取付基体の裏側（表側）に配設されており、そのカバー５０内部に水栓本体が収納されていて、その水栓本体に対し、ホース３６における内管３８が接続されている。
またホース収納状態において、外管４０の端部に設けられたストッパ部４６が取付部材５２に当接状態とされている。
尚この例においても外管４０は管軸方向に弾性的に伸縮可能なものである。
【００４９】
この例においても、外管４０の弾性伸びを伴ってホース３６が本体管１６Ｂから引出可能であり、且つその引出した状態において内管３８の引出部分が外管４０にて全体的に被覆された状態となる。
【００５０】
図６及び図７は本発明の更に他の実施例を示したもので、この例は図５に示す実施例に比べてホース３６における外管４０の長さを長くし、ホース３６の収納状態においてストッパ部４６を取付部材５２から離隔して位置させておき、吐水ヘッド１６Ｂを引き出したときに外管４０の移動に伴って、ストッパ部４６を取付部材５２に当接させ、それ以後外管４０を弾性伸びさせるようになした例である
【００５１】
以上本発明の一実施例を詳述したがこれはあくまで一例示であり本発明はその主旨を逸脱しない範囲において種々変更を加えた形態で構成可能である。
【図面の簡単な説明】
【図１】  本発明の一実施例であるホース収納水栓を示す図である。
【図２】  同実施例のホース収納水栓の内部構造を示す図である。
【図３】  同実施例のホース収納水栓の作用説明図である。
【図４】  同実施例のホース収納水栓における巻取ドラムの作用説明図である。
【図５】  本発明の他の実施例のホース収納水栓の要部を示す図である。
【図６】  本発明の更に他の実施例のホース収納水栓の要部を示す図である。
【図７】  図６の実施例のホース収納水栓の作用説明図である。
【図８】  従来のホース収納水栓の例を示す図である。
【符号の説明】
１０  水栓本体
１６  吐水管
１６Ａ  吐水ヘッド
１６Ｂ  本体管
３６  ホース
３８  内管
４０  外管
４２  巻取ドラム
４４  ばね
４６  ストッパ部
【図１】
0004308418.tif 000002
【図２】
0004308418.tif 000003
【図３】
0004308418.tif 000004
【図４】
0004308418.tif 000005
【図５】
0004308418.tif 000006
【図６】
0004308418.tif 000007
【図７】
0004308418.tif 000008
【図８】
0004308418.tif 000009